(57)【要約】【課題】同期ウィンドウ幅が固定幅のため、無線伝送路の電波状況悪化でパケット受信不能期間が長くなると、通信コネクションが切断されてしまう。通信コネクション接続性確保と低消費電力化の両立が困難である。【解決手段】高周波変復調部１１、同期検出部１２、同期パターン未検出またはパケット受信完了を判断して受信制御信号を出力し、同期ウィンドウ期間情報を出力するスケジューリング管理部１３、高周波変復調部の受信動作停止する送受信制御部１４を備え、さらに、同期パターン検出情報に基づいて空きスロット継続数を管理する受信スロット管理部１５と、空きスロット継続数と同期ウィンドウ幅の基準値およびステップ値とに基いて同期ウィンドウ幅を算出するウィンドウ幅算出部１６とを備え、パケット受信状態に応じて同期ウィンドウ幅Ｓ１０を動的に制御し、通信コネクション接続性と低消費電力化を両立させる。【選択図】  図２
2004242246.tif 000002
【特許請求の範囲】
【請求項１】
無線信号の変復調処理を行う高周波変復調手段と、
入力した同期ウィンドウ期間情報に基づいて前記高周波変復調手段による復調信号から同期パターンを検出し同期パターン検出情報を出力する同期検出手段と、
前記同期検出手段から前記同期パターン検出情報を入力し、同期パターン未検出またはパケット受信完了を判断して受信制御信号を出力して送受信タイムスロットの時間管理およびタイミング補正を行うとともに、前記同期ウィンドウ期間情報を前記同期検出手段に出力するスケジューリング管理手段と、
前記スケジューリング管理手段からの前記受信制御信号に基づいて前記高周波変復調手段に受信動作停止の制御信号を出力する送受信制御手段とを備えたタイムスロット同期方式の無線通信端末であって、さらに、
前記同期検出手段による前記同期パターン検出情報に基づいて空きスロット継続数を管理する受信スロット管理手段と、
前記受信スロット管理手段による前記空きスロット継続数と同期ウィンドウ幅の基準値およびステップ値とに基いて同期ウィンドウ幅を算出し、前記スケジューリング管理手段に対して前記送受信タイムスロットの時間管理およびタイミング補正のために前記同期ウィンドウ幅を出力するウィンドウ幅算出手段とを備え、
受信スロットの状態に応じて前記同期ウィンドウ幅を可変することを特徴とする無線通信端末。
【請求項２】
さらに、規定タイミングで動作モードを判別する動作モード判別手段と、
動作モード毎の同期ウィンドウ幅の基準値とステップ値を有し、前記動作モード判別手段が判別した動作モードに対応する前記同期ウィンドウ幅の基準値とステップ値を選択し、前記ウィンドウ幅算出手段に出力するウィンドウパラメタ選択手段とを備える請求項１に記載の無線通信端末。
【請求項３】
さらに、前記同期検出手段による同期パターンの検出時刻と前記スケジューリング管理手段による検出予測時刻とのずれ時間であるタイムスロット変動量を算出するタイムスロット変動量算出手段と、
前記タイムスロット変動量算出手段による前記タイムスロット変動量と前記受信スロット管理手段による前記空きスロット継続数とに基づいて前記ウィンドウ幅算出手段に対する前記同期ウィンドウ幅の基準値を算出するウィンドウ幅基準値算出手段とを備える請求項１に記載の無線通信端末。
【請求項４】
さらに、前記同期検出手段による同期パターンの検出時刻と前記スケジューリング管理手段による検出予測時刻とのずれ時間であるタイムスロット変動量を算出するタイムスロット変動量算出手段と、
前記タイムスロット変動量算出手段による前記タイムスロット変動量と前記受信スロット管理手段による前記空きスロット継続数とに基づいて前記ウィンドウ幅算出手段に対する前記同期ウィンドウ幅のステップ値を算出するウィンドウ幅ステップ値算出手段とを備える請求項１に記載の無線通信端末。
【請求項５】
さらに、前記同期検出手段による同期パターンの検出時刻と前記スケジューリング管理手段による検出予測時刻とのずれ時間であるタイムスロット変動量を算出するタイムスロット変動量算出手段と、
前記タイムスロット変動量算出手段による前記タイムスロット変動量と前記受信スロット管理手段による前記空きスロット継続数とに基づいて、タイムスロットの補正が行われてからの経過タイムスロット数と前記タイムスロット変動量との相関値を求め、求めた相関値を相関テーブルに保持するタイムスロット変動量保持手段とを備え、
前記ウィンドウ幅算出手段は、前記受信スロット管理手段からの前記空きスロット継続数に基づいて前記タイムスロット変動量保持手段を検索し、前記空きスロット継続数による前記経過タイムスロット数に基づき前記相関テーブルにおける前記相関値を参照して前記同期ウィンドウ幅を算出するように構成されている請求項１に記載の無線通信端末。
【請求項６】
さらに、前記タイムスロット変動量算出手段による前記タイムスロット変動量と前記受信スロット管理手段による前記空きスロット継続数とに基づいて前記同期ウィンドウ幅の基準値を算出するウィンドウ幅基準値算出手段と、
前記ウィンドウ幅基準値算出手段による前記基準値またはその補正値の前記タイム変動量保持手段に対する登録を制御する基準値更新制御手段とを備える請求項５に記載の無線通信端末。
【請求項７】
さらに、前記タイムスロット変動量算出手段による前記タイムスロット変動量と前記受信スロット管理手段による前記空きスロット継続数とに基づいて前記空きスロット継続数に応じた前記タイムスロット変動量の統計演算処理を行う変動量演算処理手段と、
前記変動量演算処理手段による演算結果の前記タイムスロット変動量保持手段に対する登録を制御する統計値更新制御手段とを備える請求項５に記載の無線通信端末。
【請求項８】
さらに、規定タイミングで動作モードを判別する動作モード判別手段と、
前記動作モード判別手段による動作モードに応じて前記タイムスロット変動量保持手段への登録アクセス制限を行うテーブル更新制御手段と、
前記タイムスロット変動量保持手段から参照される相関値を前記動作モード判別手段による前記動作モードに応じて補正する補正演算手段とを備える請求項５に記載の無線通信端末。
【請求項９】
前記タイムスロット変動量保持手段を動作モードごとに対応して複数備え、
さらに、規定タイミングで動作モードを判別する動作モード判別手段と、
前記動作モード判別手段による動作モードに応じて複数の前記タイムスロット変動量保持手段の１つを選択するテーブル更新制御手段とを備える請求項５に記載の無線通信端末。
【発明の詳細な説明】
【０００１】
【発明の属する技術分野】
本発明は、時分割多重通信方式のタイムスロット同期方法において、良好な同期接続性と低消費電力化が実現できる可変同期ウィンドウを用いた無線通信端末に関するものである。
【０００２】
【従来の技術】
従来の時分割多重通信方式における同期ウィンドウを用いたタイムスロット同期方式の動作および無線通信端末の構成を説明する。
【０００３】
図１１において、無線通信端末間で送受信されるパケット２０１には同期パターン２０２が付与されている。従属端末は、基準端末から送られるパケット受信タイミング、即ち同期パターン２０２の検出タイミングを基に基準端末と従属端末間のタイムスロットのずれの検出と補正を行っている。同期パターン２０２の判定および検出は、受信スロット内で同期パターン２０２を捕捉するために設けられた固定幅の同期ウィンドウ２０３の期間中に行われる。同期ウィンドウ幅は、基準端末や従属端末で使用している動作クロックの精度やパケット送受信最小間隔、タイムスロット時間等の情報を基に決定される。同期ウィンドウ２０３内で同期パターンが検出できなかった場合には、有効な受信パケットが存在しない空きスロットであると早期に判断して、高周波変復調部の受信動作を停止させることで低消費電力化を実現している。
【０００４】
図１１の例では、従属端末は、パケット＃１については、その同期パターン２０２を同期ウィンドウ２０３の期間中に捕捉することができ、スロットタイミングの補正を実施している。パケット＃２についても、同様に同期パターン２０２が検出できている。パケット＃３の場合は、基準端末からのパケットが通信エラー等により受信不能となっているため、空きスロットとして扱われ、同期ウィンドウ完了後に高周波変復調部の受信動作を停止している。
【０００５】
図１２において、同期ウィンドウを有するタイムスロット同期方式を用いた無線通信端末１０００の制御回路は、高周波変復調部１１、同期検出部１２、スケジューリング管理部１３および送受信制御部１４から構成されている。
【０００６】
受信スロット期間に受信される無線信号Ｓ１、即ちパケットは高周波変復調部１１で復調処理された後、復調信号Ｓ２として同期検出部１２に入力される。同期検出部１２ではスケジューリング管理部１３からの受信スロット内の同期ウィンドウ期間情報Ｓ３を基に、同期ウィンドウ期間における同期パターンの判定および検出処理を実施する。同期検出部１２による同期パターン検出情報Ｓ４はスケジューリング管理部１３に通知され、スケジューリング管理部１３では基準端末と従属端末間とのタイムスロットのタイミング補正や同期ウィンドウ幅の基準値Ｓ１０に基づく送受信タイムスロットの時間管理を行う。また、このタイムスロットのタイミング補正は、従属端末時に基準端末とのタイミングに合わせるように実施する。また、同期パターン未検出あるいはパケット受信完了時には受信制御信号Ｓ５により送受信制御部１４に受信動作停止を通知する。送受信制御部１４は高周波変復調部１１の受信動作を停止させるための制御信号Ｓ６を通知し、高周波変復調部１１において受信動作の停止が行われる。
【０００７】
このように固定幅の同期ウィンドウを用いたタイムスロット同期方式では、高周波変復調部１１の受信動作を停止する機能により、空きスロット期間中の低消費電力化を図っている（例えば、非特許文献１参照）。
【０００８】
【非特許文献１】
ＢＬＵＥＴＯＯＴＨ  ＳＩＧ発行、ＢＬＵＥＴＯＯＴＨ  ＳＰＥＣＩＦＩＣＡＴＩＯＮＶｅｒｓｉｏｎ  １．１  Ｆｅｂｒｕａｒｙ  ２２  ２００１版、Ｂａｓｅｂａｎｄ  Ｓｐｅｃｉｆｉｃａｔｉｏｎ  ｐ．８４−８６
【０００９】
【発明が解決しようとする課題】
従来のタイムスロット同期方式の無線通信端末は、その同期ウィンドウが固定幅となっているため、無線伝送路の電波状況悪化等の影響でパケット受信ができない期間が長くなった場合に、通信コネクションが切断されやすい。通信コネクション接続性を保つことが重要であり、そのためには、同期ウィンドウ幅拡大とパケット送受信の頻度増大が必要である。しかしながら、そうすると、無線通信端末の低消費電力化が困難となってしまう。
【００１０】
図１１の例では、従属端末においてパケット＃４〜＃Ｎ−１は、無線通信路の電波状態等によりパケット受信不能になっていることを示している。この期間に基準端末と従属端末間のタイムスロットのずれ時間が蓄積され、次のパケット＃Ｎの受信時にはタイムスロットずれ時間の蓄積量が同期ウィンドウ幅を超過してしまい、その結果、同期パターンを捕捉できないことを示している。これ以降、パケット受信は不能となり、やがて通信コネクションは切断されてしまう。
【００１１】
つまり、通信コネクションの切断を防止するためには、基準端末から従属端末へのパケット送信頻度を保証して無線通信端末間のタイムスロットのずれ時間の蓄積量を同期ウィンドウ幅の範囲内に収める必要があるが、無線伝送路の電波状況悪化等の影響によるパケット送受信不能の場合を考慮すると、パケット送受信頻度に充分なマージンを付加して、頻度を多くする必要がある。
【００１２】
また、同期ウィンドウ幅は全ての無線通信端末に適用できるようにバラツキを考慮した充分なマージンを確保する必要があり、無線通信端末間のローカルな環境においてのみの最適な小さな値に同期ウィンドウ幅を設定することは許されない。
【００１３】
これらの事情により、無線通信端末の低消費電力化と通信コネクション接続性確保の同時実現が困難となっている。
【００１４】
本発明は、このような事情に鑑みて創作したものであり、無線通信端末の通信コネクション接続性確保と低消費電力化との両立を図ることを目的としている。
【００１５】
【課題を解決するための手段】
本発明によるタイムスロット同期方式の無線通信端末は、その同期ウィンドウのウィンドウ幅を受信スロットの状態に応じて可変長のものにするものであって、以下に実現手段について説明する。
【００１６】
第一は、パケット受信状態による同期ウィンドウ幅の動的制御方法である。タイムスロット毎のパケット受信有無状態、つまり受信スロットの使用又は未使用状態を監視し、受信スロットの未使用状態である空きスロットの継続数に応じて、同期ウィンドウ幅を基準値からのステップ値間隔で制御する。また、基準端末や従属端末の動作クロック精度、パケット送受信最小間隔、通信端末間動作モード、タイムスロット時間等の動作モードに応じて同期ウィンドウ幅の調整の仕方を変更する。具体的には後述する。
【００１７】
第二は、パケット受信状態とタイムスロット変動量との相関テーブルを用いた同期ウィンドウ幅の動的制御方法である。タイムスロット毎のパケット受信有無状態、つまり受信スロットの使用／未使用状態を監視し、同期パターン検出時の同期パターン検出予測時刻とのずれ時間であるタイムスロット変動量を算出し、タイムスロットの補正が行われてからの経過タイムスロット数とタイムスロット変動量との相関値を相関テーブルに保持し、保持された値を経過タイムスロット数に基づき参照して同期ウィンドウ幅を算出する。また、タイムスロット変動量を統計処理した演算結果を相関テーブルに登録する。さらに、基準端末や従属端末の動作クロック精度、パケット送受信最小間隔、通信端末間モード、タイムスロット時間等の動作モードに応じた相関テーブルの保有や動作モードに応じた参照データの補正処理を行う。具体的には後述する。
【００１８】
また、連続してパケット受信が行われた際のタイムスロット変動量を基に同期ウィンドウ幅のパラメタである基準値およびステップ値を算出し、このパラメタを第一の制御方法で用いられる同期ウィンドウ幅の基準値およびステップ値や第二の制御方法で用いられるパケット受信状態とタイムスロット変動量との相関テーブルの更新設定値として使用する。
【００１９】
これらの構成により、無線伝送路の電波状態等により正常なパケット送受信ができず、タイムスロットのずれ時間が蓄積した場合でも、同期パターンの捕捉および検出が可能となる。また、パケット受信状態に応じた同期ウィンドウ幅の動的変更制御や無線通信端末間のローカルな環境で最適な同期ウィンドウ幅の選定により、パケット送受信の頻度軽減等による低消費電力化と通信コネクション接続性向上の同時実現が可能となる。
【００２０】
さらに具体的レベルで記述すると、次のようにいうことができる。
【００２１】
第１の解決手段として、本発明による無線通信端末は、無線信号の変復調処理を行う高周波変復調手段と、入力した同期ウィンドウ期間情報に基づいて前記高周波変復調手段による復調信号から同期パターンを検出し同期パターン検出情報を出力する同期検出手段と、前記同期検出手段から前記同期パターン検出情報を入力し、同期パターン未検出またはパケット受信完了を判断して受信制御信号を出力して送受信タイムスロットの時間管理およびタイミング補正を行うとともに、前記同期ウィンドウ期間情報を前記同期検出手段に出力するスケジューリング管理手段と、前記スケジューリング管理手段からの前記受信制御信号に基づいて前記高周波変復調手段に受信動作停止の制御信号を出力する送受信制御手段とを備えたタイムスロット同期方式の無線通信端末であって、さらに、次のような手段を備えている。すなわち、前記同期検出手段による前記同期パターン検出情報に基づいて空きスロット継続数を管理する受信スロット管理手段と、前記受信スロット管理手段による前記空きスロット継続数と同期ウィンドウ幅の基準値およびステップ値とに基いて同期ウィンドウ幅を算出し、前記スケジューリング管理手段に対して前記送受信タイムスロットの時間管理およびタイミング補正のために前記同期ウィンドウ幅を出力するウィンドウ幅算出手段とである。
【００２２】
この構成による作用は次のとおりである。同期検出手段は同期パターンを検出すると、同期パターン検出情報をスケジューリング管理手段と受信スロット管理手段とに出力する。同期パターン検出情報を入力した受信スロット管理手段は、受信スロットの未使用状態である空きスロットの継続数を管理し、空きスロット継続数をウィンドウ幅算出手段に出力する。空きスロット継続数を入力したウィンドウ幅算出手段は、同期ウィンドウ幅についての基準値とステップ値と前記の空きスロット継続数とを用いて、同期ウィンドウ幅を算出する。
【００２３】
例えば、同期ウィンドウ幅の基準値をＷｏ、同期ウィンドウ幅の調整用のステップ値をＷｓ、空きスロット継続数をｎとすると、同期ウィンドウ幅Ｗは、
Ｗ＝Ｗｏ＋ｎ・Ｗｓ
で表すことができるが、ウィンドウ幅算出手段は、例えばこのような演算によって、同期ウィンドウ幅を算出する。そして、算出で求めた同期ウィンドウ幅をスケジューリング管理手段に与える。スケジューリング管理手段は、入力した同期ウィンドウ幅に基づいて、同期ウィンドウ期間情報を生成し、同期検出手段に出力する。同期検出手段は与えられた同期ウィンドウ期間において、同期パケットの検出を行う。また、スケジューリング管理手段は、所定の時間内に同期パターンを検出しなかったときやパケット受信完了を判断すると、受信制御信号により送受信制御手段を介して高周波変復調手段の受信動作を停止させる。
【００２４】
このように、パケットの受信状態に応じて同期パターン捕捉用の同期ウィンドウ幅を動的に制御するように構成したので、無線伝送路の電波状態等によるパケット送受信不能時においても、無線通信端末間で最適な同期ウィンドウ幅を使用して通信コネクション接続性を確保するとともに、無駄な電力消費を避けて低消費電力化をも実現することができる。
【００２５】
第２の解決手段として、本発明による無線通信端末は、上記第１の解決手段において、さらに、規定タイミングで動作モードを判別する動作モード判別手段と、動作モード毎の同期ウィンドウ幅の基準値とステップ値を有し、前記動作モード判別手段が判別した動作モードに対応する前記同期ウィンドウ幅の基準値とステップ値を選択し、前記ウィンドウ幅算出手段に出力するウィンドウパラメタ選択手段とを備えた構成とされている。
【００２６】
この構成による作用は次のとおりである。無線通信端末の動作モードとしては、基準端末や従属端末で使用される動作クロックの精度、無線通信端末間で規定される通信モード、パケット送受信最小間隔、タイムスロット時間等がある。そして、それぞれの動作モードには最適な同期ウィンドウ幅がある。これに対応するべく、動作モード判別手段で現在の動作モードを判別し、ウィンドウパラメタ選択手段は得られた動作モードに応じて最適なウィンドウ幅基準値とステップ値を選択し、ウィンドウ幅算出手段に与える（マルチウィンドウパラメタ選択機能）。例えば、基準端末あるいは従属端末で使用されるクロック精度が悪い低速クロックを用いるモードの場合には、タイムスロットずれの変動量が大きくなるため、ウィンドウ幅基準値およびステップ値を大きなものとしておく。ここで、同期ウィンドウ幅基準値Ｗｏとステップ値Ｗｓの両方を調整要素としてもよいし、いずれか一方のみを調整要素とするのでもよい。このようにすることによって、動作モードに応じた最適なウィンドウ幅の動的制御が可能となり、無線通信端末としての通信コネクション接続性の向上と低消費電力化をさらに優れたものにすることができる。
【００２７】
第３の解決手段として、本発明による無線通信端末は、上記第１の解決手段において、さらに、前記同期検出手段による同期パターンの検出時刻と前記スケジューリング管理手段による検出予測時刻とのずれ時間であるタイムスロット変動量を算出するタイムスロット変動量算出手段と、前記タイムスロット変動量算出手段による前記タイムスロット変動量と前記受信スロット管理手段による前記空きスロット継続数とに基づいて前記ウィンドウ幅算出手段に対する前記同期ウィンドウ幅の基準値を算出するウィンドウ幅基準値算出手段とを備えた構成とされている。
【００２８】
この構成による作用は次のとおりである。本来、同期ウィンドウの基準値は全ての無線通信端末に適用できるように一定のマージンが含まれている。しかし、現在無線通信を行っているローカルな環境には、それ特有の条件が付随する。そこで、現在通信の条件を調べるためにタイムスロット変動量算出手段を設けて、スケジューリング管理手段による検出予測時刻と同期検出手段による同期パターン検出時刻とのずれ時間、すなわちタイムスロット変動量を算出する。そして、ウィンドウ幅基準値算出手段により、このタイムスロット変動量および空きスロット継続数に基づいてウィンドウ幅基準値を算出し、得られたローカルな無線通信環境に最適のウィンドウ幅基準値をウィンドウ幅算出手段に与える。
【００２９】
例えば、得られたタイムスロット変動量をΔＴとし、このタイムスロット変動量ΔＴと空きスロット継続数ｎと本来の同期ウィンドウ幅基準値Ｗｏとに基づいてウィンドウ幅基準値算出手段が算出したウィンドウ幅基準値をＷｏＴｎとすると、ＷｏＴｎ＝ｆ（Ｗｏ，ΔＴ，ｎ）の関数で表すことができる。そして、同期ウィンドウ幅Ｗは、
Ｗ＝ＷｏＴｎ＋ｎ・Ｗｓ
で表すことができる。これにより、ローカルな無線通信環境に応じた最適なウィンドウ幅の動的制御が可能となり、無線通信端末としての通信コネクション接続性の向上と低消費電力化をさらに優れたものにすることができる。
【００３０】
第４の解決手段として、本発明による無線通信端末は、上記第１の解決手段において、さらに、前記同期検出手段による同期パターンの検出時刻と前記スケジューリング管理手段による検出予測時刻とのずれ時間であるタイムスロット変動量を算出するタイムスロット変動量算出手段と、前記タイムスロット変動量算出手段による前記タイムスロット変動量と前記受信スロット管理手段による前記空きスロット継続数とに基づいて前記ウィンドウ幅算出手段に対する前記同期ウィンドウ幅のステップ値を算出するウィンドウ幅ステップ値算出手段とを備えた構成とされている。
【００３１】
これは、ウィンドウ幅基準値のローカル環境適応に代えて、ステップ値のローカル環境適応とするものである。すなわち、現在通信の条件を調べるために、上記と同様に、タイムスロット変動量算出手段を設けてタイムスロット変動量を算出する。そして、ウィンドウ幅ステップ値算出手段により、このタイムスロット変動量および空きスロット継続数に基づいて同期ウィンドウ幅のステップ値を算出し、得られたローカルな無線通信環境に最適のステップ値をウィンドウ幅算出手段に与える。
【００３２】
例えば、得られたタイムスロット変動量をΔＴとし、このタイムスロット変動量ΔＴと空きスロット継続数ｎと本来のステップ値Ｗｓとに基づいてウィンドウ幅ステップ値算出手段が算出したステップ値をＷｓＴｎとすると、ＷｓＴｎ＝ｇ（Ｗｓ，ΔＴ，ｎ）の関数で表すことができる。そして、同期ウィンドウ幅Ｗは、
Ｗ＝Ｗｏ＋ｎ・ＷｓＴｎ
で表すことができる。これにより、ローカルな無線通信環境に応じた最適なウィンドウ幅の動的制御が可能となり、無線通信端末としての通信コネクション接続性の向上と低消費電力化をさらに優れたものにすることができる。
【００３３】
第５の解決手段として、本発明による無線通信端末は、上記第１の解決手段において、さらに、前記同期検出手段による同期パターンの検出時刻と前記スケジューリング管理手段による検出予測時刻とのずれ時間であるタイムスロット変動量を算出するタイムスロット変動量算出手段と、前記タイムスロット変動量算出手段による前記タイムスロット変動量と前記受信スロット管理手段による前記空きスロット継続数とに基づいて、タイムスロットの補正が行われてからの経過タイムスロット数と前記タイムスロット変動量との相関値を求め、求めた相関値を相関テーブルに保持するタイムスロット変動量保持手段とを備えた構成とされている。そして、前記ウィンドウ幅算出手段は、前記受信スロット管理手段からの前記空きスロット継続数に基づいて前記タイムスロット変動量保持手段を検索し、前記空きスロット継続数による前記経過タイムスロット数に基づき前記相関テーブルにおける前記相関値を参照して前記同期ウィンドウ幅を算出するように構成されている。
【００３４】
この構成による作用は次のとおりである。これもローカルな無線通信環境における状態を、その場で調べ、タイムスロット変動量保持手段において、経過タイムスロット数とタイムスロット変動量との相関値について統計をとり、求めた相関値を相関テーブルに保持するようにしている。
【００３５】
ローカルな無線通信環境に最適なウィンドウ幅基準値やステップ値をＷｏＴｎ＝ｆ（Ｗｏ，ΔＴ，ｎ）の関数やＷｓＴｎ＝ｇ（Ｗｓ，ΔＴ，ｎ）の関数に基づいて演算で求めるのではなく、実際に即した実データとして計測を行っている。その結果としての相関テーブルにおける相関値は、演算で求めたものよりも精度が高いものとなる。それは一般的に非線形特性を伴うものとなる。これにより、無線伝送路の電波状態等により正常なパケット送受信ができず、タイムスロットのずれが蓄積した場合でも同期パターンの検出が可能となる。また、空きスロット継続数毎のタイムスロット変動量の柔軟な設定や無線通信端末間のローカルな環境で最適な同期ウィンドウ幅の登録機能により、空きスロット継続数に対するウィンドウ幅制御に非線形特性を持たせることができ、無線通信端末としての通信コネクション接続性の向上と低消費電力化をさらに優れたものにすることができる。
【００３６】
第６の解決手段として、本発明による無線通信端末は、上記第５の解決手段において、さらに、前記タイムスロット変動量算出手段による前記タイムスロット変動量と前記受信スロット管理手段による前記空きスロット継続数とに基づいて前記同期ウィンドウ幅の基準値を算出するウィンドウ幅基準値算出手段と、前記ウィンドウ幅基準値算出手段による前記基準値またはその補正値の前記タイム変動量保持手段に対する登録を制御する基準値更新制御手段とを備えた構成とされている。
【００３７】
この構成による作用は次のとおりである。ウィンドウ幅基準値算出手段により積極的に同期ウィンドウ幅基準値を算出するので、タイムスロット変動量保持手段の相関テーブルの全領域が無線通信端末間のパケット送受信によって再設定されるまでの時間を待たずに、早期に最適な相関テーブルへの基準値の登録ができ、通信コネクション確立時の相関テーブル活性化へのレスポンス時間を短縮することによる無線通信端末としての低消費電力化を実現することができる。
【００３８】
第７の解決手段として、本発明による無線通信端末は、上記第５の解決手段において、さらに、前記タイムスロット変動量算出手段による前記タイムスロット変動量と前記受信スロット管理手段による前記空きスロット継続数とに基づいて前記空きスロット継続数に応じた前記タイムスロット変動量の統計演算処理を行う変動量演算処理手段と、前記変動量演算処理手段による演算結果の前記タイムスロット変動量保持手段に対する登録を制御する統計値更新制御手段とを備えた構成とされている。
【００３９】
この構成による作用は次のとおりである。無線通信端末間の空きスロット毎に過去の無線通信によって蓄積されたタイムスロット変動量を統計処理した情報を同期ウィンドウ幅として選定することが可能なため、より柔軟に対応でき、無線通信端末としての時間的な変動を抑えたウィンドウ幅基準値またはステップ値に基づく通信コネクション接続性と低消費電力化を実現することができる。
【００４０】
第８の解決手段として、本発明による無線通信端末は、上記第５の解決手段において、さらに、規定タイミングで動作モードを判別する動作モード判別手段と、前記動作モード判別手段による動作モードに応じて前記タイムスロット変動量保持手段への登録アクセス制限を行うテーブル更新制御手段と、前記タイムスロット変動量保持手段から参照される相関値を前記動作モード判別手段による前記動作モードに応じて補正する補正演算手段とを備えた構成とされている。
【００４１】
この構成による作用は次のとおりである。動作モードに応じて相関値を補正するので、相関テーブルとしては特定の動作モードに対する１つのみでもよく、複数の動作モードをサポートする無線通信端末においても、回路規模を抑制しながら、動作モードに応じた同期ウィンドウ幅の動的制御を可能とする。
【００４２】
第９の解決手段として、本発明による無線通信端末は、上記第５の解決手段において、前記タイムスロット変動量保持手段を動作モードごとに対応して複数備え、さらに、規定タイミングで動作モードを判別する動作モード判別手段と、前記動作モード判別手段による動作モードに応じて複数の前記タイムスロット変動量保持手段の１つを選択するテーブル更新制御手段とを備えた構成とされている。
【００４３】
この構成による作用は次のとおりである。複数の動作モードをサポートする無線通信端末においても、動作モードに応じた同期ウィンドウ幅の動的制御を可能とし、また動作モード毎に最適化したウィンドウ幅によるきめ細かな制御も実現できるため、無線通信端末としての通信コネクション接続性の向上と低消費電力化をさらに優れたものにすることができる。
【００４４】
【発明の実施の形態】
以下、本発明にかかわるタイムスロット同期方式の無線通信端末の実施の形態を図面に基づいて詳細に説明する。
【００４５】
図１において、無線通信端末間で送受信されるパケット１０１には同期パターン１０２が付与されている。従属端末は基準端末から送られるパケット受信タイミング、即ち同期パターン１０２の検出タイミングを基に基準端末と従属端末間のタイムスロットのずれの検出と補正を行っている。同期パターン１０２の判定および検出は、受信スロット内で同期パターン１０２を捕捉するために設けられた可変長の同期ウィンドウ１０３の期間中に行われる。同期ウィンドウ幅は、パケット１０１の受信状態つまり空きスロット数の継続数に応じて決定される。これにより、無線通信端末間のパケット送受信が一定期間できずにタイムスロットのずれ時間が蓄積した場合においても、次の受信パケットに対する同期パターン１０２を捕捉することができ、通信コネクション接続性を高めることができる。また、同期パターン１０２が検出できた次の受信スロットに対しては同期ウィンドウ幅を基準値としても受信パケットに対する同期パターン１０２は捕捉できる。
【００４６】
このようにパケット受信状態に応じて同期ウィンドウ幅を可変する状況のもとにおいても、同期ウィンドウ１０３内で同期パターン１０２が検出できなかった場合には、有効な受信パケットが存在しない空きスロットであると早期に判断して、高周波変復調部の受信動作を停止させることで低消費電力化を実現している。
【００４７】
図１の例では、従属端末はパケット＃１に対する同期パターン１０２を同期ウィンドウ１０３の期間中に捕捉することができ、スロットタイミングの補正を実施している。パケット＃２についても同様に同期パターン１０２が検出できている。パケット＃３の場合は、基準端末からのパケットが通信エラー等により受信不能となっているため、空きスロットとして扱われ、同期ウィンドウ完了後に高周波変復調部の受信動作を停止している。さらにパケット＃４〜＃Ｎ−１は無線通信路の電波状態等によりパケット受信不能になっていることを示している。この期間に基準端末と従属端末間のタイムスロットのずれ時間が蓄積されるが、空きスロット継続数に連動して同期ウィンドウ幅を拡大している。このため、パケット＃Ｎの受信時でも同期パターン１０２を捕捉することができる。次のパケット＃Ｎ＋１の受信時には、前スロットで同期パターンが検出されたので、即ち空きスロット数が零であるので、同期ウィンドウ幅を基準値に戻して同期パターン１０２の捕捉を行っている。
【００４８】
このように、パケット受信状態に応じた同期ウィンドウ幅の動的変更制御や無線通信端末間のローカルな環境で最適な同期ウィンドウ幅の算出制御により、パケット送受信の頻度軽減等による低消費電力化と通信コネクション接続性向上の同時実現が可能となる。
【００４９】
（実施の形態１）
本発明の実施の形態１の無線通信端末１００は、図２に示すように高周波変復調部１１、同期検出部１２、スケジューリング管理部１３、送受信制御部１４、受信スロット管理部１５、ウィンドウ幅算出部１６とから構成され、パケットの受信状態に応じて同期ウィンドウ幅の動的制御ができる機能を備えたものである。
【００５０】
受信スロット期間において受信される無線信号Ｓ１、即ちパケットは高周波変復調部１１で復調処理された後、復調信号Ｓ２として同期検出部１２に入力される。同期検出部１２ではスケジューリング管理部１３からの受信スロット内の同期ウィンドウ期間情報Ｓ３を基に、同期ウィンドウ期間における同期パターンの判定および検出処理を行う。同期検出部１２による同期パターン検出情報Ｓ４はスケジューリング管理部１３に通知される。スケジューリング管理部１３では基準端末と従属端末間とのタイムスロットのタイミング補正やウィンドウ幅算出部１６からの同期ウィンドウ幅Ｓ１０に基づく送受信タイムスロットの時間管理を行う。また、このタイムスロットのタイミング補正は従属端末時に基準端末とのタイミングに合わせるように実施する。また、同期パターン未検出あるいはパケット受信完了時には受信制御信号Ｓ５により送受信制御部１４に受信動作停止を通知する。送受信制御部１４では高周波変復調部１１の受信動作を停止させるための制御信号Ｓ６を通知し、高周波変復調部１１において受信動作の停止が行われる。
【００５１】
また、同期検出部１２による同期パターン検出情報Ｓ４はタイムスロット毎のパケット受信状態として受信スロット管理部１５にも通知される。受信スロット管理部１５では同期パターン検出情報Ｓ４を基に受信スロットの未使用状態である空きスロットの継続数Ｓ７を管理する。例えば、空きスロット検出時にカウントアップし、同期パターン検出時にカウントクリアを行う。つまり、同期パターン検出によるタイムスロットのタイミング補正が行われてからの経過スロット数に対応する情報を管理する。空きスロットの継続数Ｓ７はウィンドウ幅算出部１６へ通知される。ウィンドウ幅算出部１６では同期ウィンドウ幅の基準値Ｓ８とステップ値Ｓ９を用いて同期ウィンドウ幅Ｓ１０の算出を行う。同期ウィンドウ幅Ｓ１０の算出方法としては、空きスロット１個あるいは複数個毎にステップ値Ｓ９を割り当て、基準値Ｓ８からのステップ値間隔で制御する方法等がある。この際、同期ウィンドウ幅Ｓ１０に上限閾値を設けても良い。
【００５２】
これにより、無線伝送路の電波状態等により正常なパケット送受信ができず、タイムスロットのずれ時間が蓄積した場合でも同期パターンの検出が可能となる。また、同期ウィンドウ幅の拡大が可能なため、基準端末と従属端末間の通信コネクション確保のためのパケット送受信頻度を少なくすることができ、無線通信端末としての低消費電力化を実現することができる。
【００５３】
（実施の形態２）
また、本発明の実施の形態２の無線通信端末２００は、図３に示すように、実施の形態１に、さらに動作モード判別部１７とウィンドウパラメタ選択部１８とを追加し、複数のウィンドウパラメタ即ちウィンドウステップ値と基準値のペアの中から、動作モード判別部１７による動作モード情報Ｓ１１に応じた最適なウィンドウパラメタである基準値Ｓ８ａとステップ値Ｓ９ａを選択して割り当てることができる機能を備えたものである。
【００５４】
無線通信端末の動作モードとしては、基準端末や従属端末で使用される動作クロックの精度、無線通信端末間で規定される通信モード等があり、動作モードに応じたウィンドウパラメタを設定しておく。例えば、基準端末あるいは従属端末で使用されるクロック精度が悪い低速クロックを用いたモードの場合には、タイムスロットずれの変動量が大きくなるため、ウィンドウ幅基準値およびステップ値を大きなものとしておく。任意のタイミング、例えば受信スロットの起動タイミング毎に動作モード判別部１７で無線通信端末の動作モードを判別し、判別して得られた動作モード情報Ｓ１１をウィンドウパラメタ選択部１８に通知する。ウィンドウパラメタ選択部１８では、通知された動作モード情報Ｓ１１に応じたウィンドウパラメタである基準値Ｓ８ａとステップ値Ｓ９ａを選択し、ウィンドウ幅算出部１６に通知する。ウィンドウ幅算出部１６では、基準値Ｓ８ａとステップ値Ｓ９ａと空スロット継続数Ｓ７とを用いて同期ウィンドウ幅Ｓ１０の算出を行う。
【００５５】
これにより、動作モードに応じた最適なウィンドウ幅の動的制御が可能となり、無線通信端末としての通信コネクション接続性の向上と低消費電力化を実現することができる。
【００５６】
（実施の形態３）
また、本発明の実施の形態３の無線通信端末３００は、図４に示すように、実施の形態１に、さらにタイムスロット変動量算出部１９とウィンドウ幅基準値算出部２０とを追加し、無線通信端末間のタイムスロット変動量Ｓ１３を用いて、同期ウィンドウ幅算出時の同期ウィンドウ幅の基準値Ｓ８ｂとして割り当てることができる機能を備えたものである。
【００５７】
同期検出部１２からの同期パターン検出情報Ｓ４はタイムスロット変動量算出部１９に通知される。タイムスロット変動量算出部１９ではスケジューリング管理部１３で算出された同期パターン検出予測時刻Ｓ１２を基にタイムスロット変動量Ｓ１３を算出し、ウィンドウ幅基準値算出部２０に通知する。ウィンドウ幅基準値算出部２０ではタイムスロット変動量Ｓ１３と受信スロット管理部１５で管理される空きスロット継続数Ｓ７を基に空きスロット数が零即ち連続した受信スロットで同期パターンが検出された場合のタイムスロット変動量Ｓ１３を１受信スロットに対する基準変動量として算出・保持し、マージン付加等の補正を行った結果を同期ウィンドウ幅の基準値Ｓ８ｂとしてウィンドウ幅算出部１６に通知する。なお、ウィンドウ幅基準値算出部２０は外部、例えば制御マイコンからの設定を可能とし、初期値として予め無線通信端末性能等を考慮して充分にマージンを持った値を設定することができる。また、ウィンドウ幅基準値算出部２０においては演算、登録可否を選択可能として、アクセス制御を行っても良い。
【００５８】
ウィンドウ幅算出部１６ではこの基準値Ｓ８ｂと同期ウィンドウ幅のステップ値Ｓ９ｂと空スロット継続数Ｓ７とを用いて同期ウィンドウ幅Ｓ１０の算出を行う。
【００５９】
なお、上記の実施の形態において、ウィンドウ幅のステップ値Ｓ９ｂを零とすることで同期ウィンドウ幅を基準値Ｓ８ｂとする固定値の同期ウィンドウを有する機能も実現できる。
【００６０】
これにより、無線通信端末間に最適な同期ウィンドウ幅の基準値を設定することが可能となる。本来、同期ウィンドウの基準値は全ての無線通信端末に適用できるように一定のマージンが含まれているが、無線通信端末間のローカルな環境で最適な小さな同期ウィンドウ幅の基準値を使用できるため、無線通信端末としての低消費電力化を実現することができる。
【００６１】
（実施の形態４）
また、本発明の実施の形態４の無線通信端末４００は、図５に示すように実施の形態１に、さらにタイムスロット変動量算出部１９とウィンドウ幅ステップ値算出部２１とを追加し、無線通信端末間のタイムスロット変動量Ｓ１３を用いて、同期ウィンドウ幅算出時の同期ウィンドウ幅のステップ値Ｓ９ｃとして割り当てることができる機能を備えたものである。
【００６２】
同期検出部１２からの同期パターン検出情報Ｓ４はタイムスロット変動量算出部１９に通知される。タイムスロット変動量算出部１９ではスケジューリング管理部１３で算出された同期パターン検出予測時刻Ｓ１２を基にタイムスロット変動量Ｓ１３を算出し、ウィンドウ幅ステップ値算出部２１に通知する。ウィンドウ幅ステップ値算出部２１ではタイムスロット変動量Ｓ１３と受信スロット管理部１５で管理される空きスロット継続数Ｓ７を基に空きスロット数が零即ち連続した受信スロットで同期パターンが検出された場合のタイムスロット変動量Ｓ１３を１受信スロットに対する基準変動量として算出・保持し、マージン付加等の補正を行った結果を同期ウィンドウ幅のステップ値Ｓ９ｃとしてウィンドウ幅算出部１６に通知する。なお、ウィンドウ幅ステップ値算出部２１は外部、例えば制御マイコンからの設定を可能とし、初期値として予め無線通信端末性能等を考慮して充分にマージンを持った値を設定することができる。また、ウィンドウ幅ステップ値算出部２１においては演算、登録可否を選択可能として、アクセス制御を行っても良い。ウィンドウ幅算出部１６では、このステップ値Ｓ９ｃと同期ウィンドウ幅の基準値Ｓ８ｃと空スロット継続数Ｓ７とを用いて同期ウィンドウ幅Ｓ１０の算出を行う。
【００６３】
これにより、無線通信端末間に最適な同期ウィンドウ幅のステップ値を設定することが可能となる。本来、同期ウィンドウのステップ値は全ての無線通信端末に適用できるように一定のマージンが含まれているが、無線通信端末間のローカルな環境で最適な小さな同期ウィンドウ幅のステップ値を使用できるため、無線通信端末としての低消費電力化を実現することができる。
【００６４】
（実施の形態５）
また、本発明の実施の形態５の無線通信端末５００は、図６に示すように、実施の形態１に、さらに、タイムスロット変動量算出部１９とタイムスロット変動量保持部２２とを追加し、無線通信端末間のタイムスロット毎の基準変動量を基に作成された空きスロット数と時間変動量との相関テーブルを用いて同期ウィンドウ幅Ｓ１０を算出する機能を備えたものである。
【００６５】
受信スロット期間において受信される無線信号Ｓ１、即ちパケットは高周波変復調部１１で復調処理された後、復調信号Ｓ２として同期検出部１２に入力される。同期検出部１２ではスケジューリング管理部１３からの受信スロット内の同期ウィンドウ期間情報Ｓ３を基に、同期ウィンドウ期間における同期パターンの判定および検出処理を行う。同期検出部１２による同期パターン検出情報Ｓ４はスケジューリング管理部１３に通知される。スケジューリング管理部１３では基準端末と従属端末間とのタイムスロットのタイミング補正やウィンドウ幅算出部１６からの同期ウィンドウ幅Ｓ１０に基づく送受信タイムスロットの時間管理を行う。また、このタイムスロットのタイミング補正は従属端末時に基準端末とのタイミングに合わせるように実施する。また、同期パターン未検出あるいはパケット受信完了時には受信制御信号Ｓ５により送受信制御部１４に受信動作停止を通知する。送受信制御部１４では高周波変復調部１１の受信動作を停止させるための制御信号Ｓ６を通知し、高周波変復調部１１において受信動作の停止が行われる。
【００６６】
また、同期検出部１２による同期パターン検出情報Ｓ４はタイムスロット毎のパケット受信状態として受信スロット管理部１５に通知される。受信スロット管理部１５では同期パターン検出情報Ｓ４を基に受信スロットの未使用状態である空きスロットの継続数Ｓ７を管理する。例えば、空きスロット検出時にカウントアップし、同期パターン検出時にカウントクリアを行う。つまり、同期パターン検出によるタイムスロットのタイミング補正が行われてからの経過スロット数に対応する情報を管理する。
【００６７】
また、同期検出部１２からの同期パターン検出情報Ｓ４はタイムスロット変動量算出部１９に通知される。タイムスロット変動量算出部１９ではスケジューリング管理部１３で算出された同期パターン検出予測時刻Ｓ１２を基にタイムスロット変動量Ｓ１３を算出し、タイムスロット変動量保持部２２に通知する。タイムスロット変動量保持部２２は、タイムスロットの補正が行われてからの経過タイムスロット数とタイムスロット変動量Ｓ１３との相関値を保持する相関テーブル２２ａとして構成される。
【００６８】
なお、相関テーブル２２ａはタイムスロット毎あるいは一定タイムスロット間隔毎あるいは領域指定用閾値を用いたタイムスロット領域毎のタイムスロット変動量Ｓ１３を保有する構成でも良い。また、タイムスロット数に上限閾値を持たせて、一定数以上のタイムスロット数に対するタイムスロット変動量Ｓ１３を代表値で管理することもできる。複数あるいは領域毎のタイムスロット数で管理する場合には、タイムスロット変動量Ｓ１３の代表値として該当区間でのタイムスロット数の最大値に対するものを割り当てることができる。
【００６９】
なお、相関テーブル２２ａは外部、例えば制御マイコンからの設定を可能とし、初期値として予め無線通信端末性能等を考慮して充分にマージンを持った値を設定することができる。
【００７０】
同期パターン検出時には、タイムスロット変動量Ｓ１３と受信スロット管理部１５の空きスロット継続数Ｓ７の情報を基にタイムスロット変動量保持部２２の相関テーブル２２ａに登録される。相関テーブル２２ａへの登録においては登録可否を選択可能として、相関テーブル２２ａへの更新アクセス制御を行っても良い。
【００７１】
ウィンドウ幅算出部１６では受信スロット起動毎に、受信スロット管理部１５の空きスロット継続数Ｓ７を基にタイムスロット変動量保持部２２の相関テーブル２２ａからの相関値Ｓ１４を参照し、同期ウィンドウ幅Ｓ１０を算出している。
【００７２】
これにより、無線伝送路の電波状態等により正常なパケット送受信ができず、タイムスロットのずれが蓄積した場合でも同期パターンの検出が可能となる。また、空きスロット継続数毎のタイムスロット変動量の柔軟な設定や無線通信端末間のローカルな環境で最適な同期ウィンドウ幅の登録機能により、空きスロット継続数に対するウィンドウ幅制御に非線形特性を持たせることができ、無線通信端末としての通信コネクション接続性と低消費電力化の最適化を実現することができる。
【００７３】
（実施の形態６）
また、本発明の実施の形態６の無線通信端末６００は、図７に示すように実施の形態５に、さらにウィンドウ幅基準値算出部２３と基準値更新制御部２４とを追加し、無線通信端末間のタイムスロット変動量Ｓ１３を用いて、タイムスロット変動量保持部２２の相関テーブルへの設定基準値として登録できる機能を備えたものである。
【００７４】
ウィンドウ幅基準値算出部２３では、タイムスロット変動量算出部１９のタイムスロット変動量Ｓ１３と受信スロット管理部１５で管理される空きスロット継続数Ｓ７を基に空きスロット数が零即ち連続した受信スロットで同期パターンが検出された場合のタイムスロット変動量Ｓ１３を１受信スロットに対する基準変動量として、マージン付加等の補正とタイムスロット数毎の変動量を算出して同期ウィンドウ幅基準値Ｓ１５を、基準値更新制御部２４を経由してタイムスロット変動量保持部２２の相関テーブルに登録する。また相関テーブルへの登録においては、任意領域例えば未更新領域の選択を可能とする。
【００７５】
これにより、タイムスロット変動量保持部の相関テーブルの全領域が無線通信端末間のパケット送受信によって再設定されるまでの時間を待たずに、早期に最適な相関テーブルへの基準値の登録ができ、通信コネクション確立時の相関テーブル活性化へのレスポンス時間を短縮することによる無線通信端末としての低消費電力化を実現することができる。
【００７６】
（実施の形態７）
また、本発明の実施の形態７の無線通信端末７００は、図８に示すように実施の形態５に、さらに変動量演算処理部２５と統計値更新制御部２６とを追加し、無線通信端末間のタイムスロット変動量Ｓ１３を統計処理した変動量統計値Ｓ１８をタイムスロット変動量保持部２２の相関テーブルに登録できる機能を備えたものである。
【００７７】
同期検出部１２からの同期パターン検出毎に、タイムスロット変動量算出部１９からのタイムスロット変動量Ｓ１３と受信スロット管理部１５からの空きスロット継続数Ｓ７の情報は変動量演算処理部２５に通知される。変動量演算処理部２５では、空きスロット継続数Ｓ７毎の統計情報の演算、収集を行っている。変動量統計値Ｓ１８としては、現在まで算出されたタイムスロット変動量Ｓ１３の最大値、最小値、平均値やタイムスロット変動量Ｓ１３に対するマージン付加等があり、演算モード選択信号Ｓ１７により無線通信端末として必要な統計演算が選択できる。変動量統計値Ｓ１８は、任意のタイミング例えば一定時間経過あるいは一定数のタイムスロット変動量Ｓ１３のサンプルの蓄積完了時に統計値更新制御部２６を経由してタイムスロット変動量保持部２２の相関テーブルに転送される。
【００７８】
これにより、無線通信端末間の空きスロット毎に過去の無線通信によって蓄積されたタイムスロット変動量の統計処理した情報を同期ウィンドウ幅として選定することが可能なため、無線通信端末としての時間的な変動を抑えたウィンドウ幅基準値・ステップ値に基づく通信コネクション接続性と低消費電力化を実現することができる。
【００７９】
（実施の形態８）
また、本発明の実施の形態８の無線通信端末８００は、図９に示すように実施の形態５に、さらに動作モード判別部２９とテーブル更新制御部２７と補正演算部２８を追加し、タイムスロット変動量保持部２２の相関テーブルからの相関値Ｓ２１に動作モード情報Ｓ２２に基づいた補正演算処理を施す機能を備えたものである。
【００８０】
無線通信端末の動作モードとしては、基準端末や従属端末で使用される動作クロックの精度、無線通信端末間で規定される通信モード等がある。動作モード判別部２９では任意のタイミング、例えば受信スロットの起動タイミング毎に無線通信端末の動作モードを判定し、動作モード情報Ｓ２２をテーブル更新制御部２７、補正演算部２８に通知する。同期パターン検出時には、タイムスロット変動量Ｓ１３と受信スロット管理部１５の空きスロット継続数Ｓ７の情報を基にテーブル更新制御部２７を経由してタイムスロット変動量保持部２２の相関テーブルに登録される。相関テーブルには単一の動作モードについての相関値を格納する必要があるため、テーブル更新制御部２７では、動作モード判別部２９の動作モード情報Ｓ２２を基に相関テーブルへのアクセス制限を行う。補正演算部２８では、タイムスロット変動量保持部２２の相関テーブルからの相関値Ｓ２１を動作モード情報Ｓ２２に基づいて補正処理を実施する。例えば、基準端末あるいは従属端末で使用されるクロック精度が悪い低速クロックを用いたモードの場合には、タイムスロットずれの変動量が大きくなるので相関値を一定の比率で増加させる処理を行う。補正処理結果の補正値Ｓ２３はウィンドウ幅算出部１６に通知され同期ウィンドウ幅Ｓ１０が算出される。
【００８１】
これにより、複数の動作モードをサポートする無線通信端末においても、動作モードに応じた同期ウィンドウ幅の動的制御を可能とし、特定の動作モードに対する相関テーブルのみを持つことで対応できるため回路規模も抑えることも可能となる。
【００８２】
（実施の形態９）
また、本発明の実施の形態９の無線通信端末９００は、図１０に示すように実施の形態５に、さらに動作モード判別部２９と動作モード毎に管理できるタイムスロット変動量保持部２２ａ〜２２ｎと、テーブル更新制御部３０を追加し、無線通信端末間のタイムスロットの基準変動量を基に作成された空きスロット数と時間変動量との相関テーブルを動作モード毎に備えたものである。
【００８３】
無線通信端末の動作モードとしては、基準端末や従属端末で使用される動作クロックの精度、端末間で規定される通信モード等がある。動作モード判別部２９では任意のタイミング、例えば受信スロットの起動タイミング毎に無線通信端末の動作モードを判定し、判定結果の動作モード情報Ｓ２２をテーブル更新制御部３０に通知する。同期パターン検出時には、タイムスロット変動量Ｓ１３と受信スロット管理部１５の空きスロット継続数Ｓ７の情報を基にテーブル更新制御部３０を経由してタイムスロット変動量保持部２２の相関テーブルに登録される。テーブル更新制御部３０では、動作モードに対応する相関テーブルへのアクセス制御を行う。また、受信スロット起動毎に、受信スロット管理部１５の空きスロット継続数Ｓ７や動作モード情報Ｓ２２を基に動作モード毎のタイムスロット変動量保持部２２からの相関値Ｓ２５を参照して、ウィンドウ幅算出部１６で同期ウィンドウ幅Ｓ１０を算出している。
【００８４】
これにより、複数の動作モードをサポートする無線通信端末においても、動作モードに応じた同期ウィンドウ幅の動的制御を可能とし、また動作モード毎に最適化したウィンドウ幅によるきめ細かな制御も実現できるため、無線通信端末としての通信コネクション接続性と低消費電力化を実現することができる。
【００８５】
【発明の効果】
以上のように本発明によれば、パケットの受信状態に応じて同期パターン捕捉用の同期ウィンドウ幅を動的に制御するように構成したので、無線伝送路の電波状態等によるパケット送受信不能時においても、無線通信端末間で最適な同期ウィンドウ幅を使用して通信コネクション接続性を確保するとともに、無駄な電力消費を避けて低消費電力化をも実現することができる。
【図面の簡単な説明】
【図１】本発明の無線通信端末における機能の本質を示すタイムスロット動作図
【図２】本発明の実施の形態１における無線通信端末の構成を示すブロック図
【図３】本発明の実施の形態２における無線通信端末の構成を示すブロック図
【図４】本発明の実施の形態３における無線通信端末の構成を示すブロック図
【図５】本発明の実施の形態４における無線通信端末の構成を示すブロック図
【図６】本発明の実施の形態５における無線通信端末の構成を示すブロック図
【図７】本発明の実施の形態６における無線通信端末の構成を示すブロック図
【図８】本発明の実施の形態７における無線通信端末の構成を示すブロック図
【図９】本発明の実施の形態８における無線通信端末の構成を示すブロック図
【図１０】本発明の実施の形態９における無線通信端末の構成を示すブロック図
【図１１】従来の技術におけるタイムスロット動作図
【図１２】従来の技術における無線通信端末の構成を示すブロック図
【符号の説明】
１１  高周波変復調部
１２  同期検出部
１３  スケジューリング管理部
１４  送受信制御部
１５  受信スロット管理部
１６  ウィンドウ幅算出部
１７  動作モード判別部
１８  ウィンドウパラメタ選択部
１９  タイムスロット変動量算出部
２０  ウィンドウ幅基準値算出部
２１  ウィンドウ幅ステップ値算出部
２２  タイムスロット変動量保持部
２３  ウィンドウ幅基準値算出部
２４  基準値更新制御部
２５  変動量演算処理部
２６  統計値更新制御部
２７，３０  テーブル更新制御部
２８  補正演算部
２９  動作モード判別部
１００，２００，３００，４００，５００，６００，７００，８００，９００無線通信端末
１０１  パケット
１０２  同期パターン
１０３  同期ウィンドウ
Ｓ１  無線信号
Ｓ２  復調信号
Ｓ３  同期ウィンドウ期間情報
Ｓ４  同期パターン検出情報
Ｓ５  受信制御信号
Ｓ６  高周波線復調部への制御信号
Ｓ７  空きスロット継続数
Ｓ８，Ｓ８ａ，Ｓ８ｂ  同期ウィンドウ幅の基準値
Ｓ９，Ｓ９ａ，Ｓ９ｂ  同期ウィンドウ幅のステップ値
Ｓ１０  同期ウィンドウ幅
Ｓ１１  動作モード情報
Ｓ１２  同期パターン検出予測時刻
Ｓ１３  タイムスロット変動量
Ｓ１４  相関テーブル相関値
Ｓ１５  同期ウィンドウ幅基準値
Ｓ１７  演算モード選択信号
Ｓ１８  変動量統計値
【図１】
2004242246.tif 000003
【図２】
2004242246.tif 000004
【図３】
2004242246.tif 000005
【図４】
2004242246.tif 000006
【図５】
2004242246.tif 000007
【図６】
2004242246.tif 000008
【図７】
2004242246.tif 000009
【図８】
2004242246.tif 000010
【図９】
2004242246.tif 000011
【図１０】
2004242246.tif 000012
【図１１】
2004242246.tif 000013
【図１２】
2004242246.tif 000014